(57)【要約】【課題】眼鏡用レンズの光学中心を、正確に位置づけることにより、製造時の損失を減らし、良質な眼鏡用レンズを提供する。【解決手段】光学中心を眼鏡用レンズの鼻側水平方向上に偏心させ、位置づけるには、プリズム量とプリズム方向を定める必要がある。その為の計算方法が、本案の要諦です。算出したプリズム量とプリズム方向を、切削時に設定し、内面切削機で眼鏡用の半製品レンズの内面を切削すれば、上記の課題が解決する。【選択図】図１
2011232722.tif 000002
【特許請求の範囲】
【請求項１】
眼鏡用レンズの研磨製造工程において、光学中心を鼻側寄りの水平方向上の位置に偏心させて、精度の高い眼鏡用レンズを製作する為の、プリズム量とプリズム方向の算出方法。
【発明の詳細な説明】
【技術分野】
【０００１】眼鏡レンズの研磨製造工程に関する。
【背景技術】
【０００２】一般的には、光学中心の位置は、Ｓ度数、Ｃ度数、軸、偏心量、プリズム方向によって決まる。
【発明の開示】
【発明が解決しようとする課題】
【０００３】光学中心を、鼻側寄りの水平方向上に正確に位置づけるには、いくらのプリズム量を、どの方向から加えるかが問題となる。
【課題を解決するための手段】
【０００４】プリズム量とプリズム方向を変えることにより、上記の課題を解決する。
【発明の効果】
【０００５】表１・表２・表３に示すように、「Ｓ±度数」・「Ｃ±度数」・「軸」・「偏心量（ｍｍ）」の各数値を、当計算方法により、各表の右側に「補正プリズム量」・「左レンズのプリズム方向」・「右レンズのプリズム方向」を算出し、この数値に基づき、半製品レンズの内面を切削時に設定することにより、正確に光学中心を位置づける。
【発明を実施するための最良の形態】
【０００６】屈折率１．５０、口径６５〜７０ｍｍのプラスチック眼鏡用の半製品レンズを用い、内面切削機により、内面を切削時にプリズム量とプリズム方向を設定し切削する。
【実施例】表１、表２、表３に示すように、希望する球面度数（Ｄ＝ディオプター）、乱視度数（Ｄ＝ディオプター）、軸（°）、偏心量（ｍｍ）を、数１と数２の計算式によって、プリズム量と左右のプリズム方向を算出し、光学中心を鼻側寄りの水平方向上に位置づける。【０００７】図１・図２・図３が、各それぞれ表１・表２・表３に対応する左レンズを表側より見た状態図です。
【図面の簡単な説明】
【０００８】
【図１】左レンズを表面から見た状態図。表１に示す様に、Ｓ０．００Ｄ、Ｃ＋３．００Ｄ、軸３０°、偏心３ｍｍの場合のプリズム量、プリズム方向を求める為の、基本状態図。
【図２】左レンズを表面から見た状態図。表２に示す様に、Ｓ−１．００Ｄ、Ｃ−３．００Ｄ、軸３０°、偏心３ｍｍを例にした一般的な場合の、プリズム量、プリズム方向を求める為の、一般状態図。
【図３】左レンズを表面から見た状態図。表３に示す様に、Ｓ＋１．００Ｄ、Ｃ−３．００Ｄ、軸１９°、偏心３ｍｍの場合の左レンズを例にした、混合レンズの場合の、プラス領域とマイナス領域を表示した状態図。
【符号の説明】
【０００９】１    水平線
２    垂直線
３    表１の場合の、Ｓ０．００Ｄ、軸３０°の線
４    表１の場合の、Ｃ３．００Ｄ、軸１２０°の線
５    表１の▲３▼で、水平方向の合計プリズム量
６    表１の▲７▼で、軸１２０°方向のプリズム量
７    表１の▲４▼で、Ｃ度数の垂直方向のプリズム量
８    表１の▲５▼で、補正プリズム量
１ａ  水平線
２ａ  垂直線
３ａ  表２の▲３▼で、水平方向の合計プリズム量
４ａ  表２の▲４▼で、Ｃ度数の垂直方向のプリズム量
５ａ  表２の▲５▼で、補正プリズム量
１ｂ  水平線
２ｂ  垂直線
３ｂ  表３で、軸１９°の線
４ｂ  表３で、軸１６１°の線
５ｂ  表３で、軸１９９°の線
６ｂ  表３で、軸３４１°の線
７ｂ  表３の▲３▼で、水平方向の合計プリズム量が、プラスの領域
８ｂ  表３の▲３▼で、水平方向の合計プリズム量が、マイナスの領域
【表１】
2011232722.tif 000003
【表２】
2011232722.tif 000004
【表３】
2011232722.tif 000005
【数１】
2011232722.tif 000006
【数２】
2011232722.tif 000007
【図１】
2011232722.tif 000008
【図２】
2011232722.tif 000009
【図３】
2011232722.tif 000010
【手続補正書】
【提出日】平成22年5月11日(2010.5.11)
【手続補正１】
【補正対象書類名】明細書
【補正対象項目名】数２
【補正方法】変更
【補正の内容】
【数２】
プリズム方向の計算式（マイクロソフトのエクセル２０００を使用）
計算式の説明：ＩＦ（論理式、真の場合、偽の場合）
右レンズのプリズム方向＝
ＩＦ（Ｓ度数＜０、ＩＦ（Ｃ度数＝０、１８０、ＩＦ（Ｃ度数＜０、ＩＦ（軸＜＝９０、１８０−補正角度、１８０＋絶対値（補正角度））、″軸を±９０°転換し、Ｓ＋Ｃ−にして下さい″））、ＩＦ（Ｃ度数＝０、０、ＩＦ（Ｃ度数＞０、ＩＦ（軸＜＝９０、３６０−絶対値（補正角度）、絶対値（補正角度））、ＩＦ（水平プリズム＞＝０、ＩＦ（軸＜＝９０、絶対値（補正角度）、３６０−補正角度）、ＩＦ（軸＜＝９０、１８０−絶対値（補正角度）、１８０＋絶対値（補正角度））））））
左レンズのプリズム方向＝
ＩＦ（Ｓ度数＜０、ＩＦ（Ｃ度数＝０、０、ＩＦ（Ｃ度数＜０、ＩＦ（軸＜＝９０、３６０−補正角度、絶対値（補正角度））、″軸を±９０°転換し、Ｓ＋Ｃ−にして下さい″））、ＩＦ（Ｃ度数＝０、１８０、ＩＦ（Ｃ度数＞０、ＩＦ（軸＜＝９０、１８０−絶対値（補正角度）、１８０＋絶対値（補正角度））、ＩＦ（水平プリズム＞＝０、ＩＦ（軸＜＝９０、１８０−補正角度、１８０−補正角度）、ＩＦ（軸＜＝９０、３６０−絶対値（補正角度）、絶対値（補正角度））））））
【手続補正書】
【提出日】平成22年6月18日(2010.6.18)
【手続補正１】
【補正対象書類名】手続補正書
【補正対象項目名】手続補正１
【補正方法】変更
【補正の内容】
【手続補正１】
【補正対象書類名】明細書
【補正対象項目名】０００９
【補正方法】変更
【補正の内容】
【０００９】１  水平線
２  垂直線
３  表１の場合の、Ｓ０．００Ｄ、軸３０°の線
４  表１の場合の、Ｃ３．００Ｄ、軸１２０°の線
５  表１の▲３▼で、水平方向の合計プリズム量
６  表１の▲７▼で、軸１２０°方向のプリズム量
７  表１の▲４▼で、Ｃ度数の垂直方向のプリズム量
８  表１の▲５▼で、補正プリズム量
１ａ  水平線
２ａ  垂直線
３ａ  表２の▲３▼で、水平方向の合計プリズム量
４ａ  表２の▲４▼で、Ｃ度数の垂直方向のプリズム量
５ａ  表２の▲５▼で、補正プリズム量
１ｂ  水平線
２ｂ  垂直線
３ｂ  表３で、軸１９°の線
４ｂ  表３で、軸１６１°の線
５ｂ  表３で、軸１９９°の線
６ｂ  表３で、軸３４１°の線
７ｂ  表３の▲３▼で、水平方向の合計プリズム量が、プラスの領域
８ｂ  表３の▲３▼で、水平方向の合計プリズム量が、マイナスの領域
【表１】
2011232722.tif 000011
【表２】
2011232722.tif 000012
【表３】
2011232722.tif 000013
【数１】
2011232722.tif 000014
【数２】
2011232722.tif 000015